(57)【要約】【課題】往復式連続叩き装置を提供する。【解決手段】殻体と、モーターと、電源と、伝動構造と、叩き構造を含む。前記殻体は、他の装置を収容し、モーター及び電源は殻体内に装着され、モーターが回転する動力を提供する。前記叩き構造には、偏心軸が設置され、前記伝動構造によって連接駆動されるとともに、前記偏心軸によって動かされる往復式台座が設置され、殻体外に延伸された叩き棒が連接されている。前記偏心軸が伝動するとき、この回転運動を前記叩き棒の前後運動に転換することが出来る。前記往復式台座の前・後端にはそれぞれプレートを設置して殻体の上に位置決めし、前記プレート及び往復式台座或いは殻体の連接側は、差込ピンで連接して回転軸を形成する。これにより、前記往復式台座をプレート上に支え、前後運動を行わせ、更に前記プレートによって前記往復式台座の横方向変位を防止するとともに、安定した直線運動を行うことが出来る。【選択図】図１Ａ
0003154309.tif 000002
【実用新案登録請求の範囲】
【請求項１】
往復式連続叩き装置であって、
殻体と、殻体内に装着したモーターと、前記モーターを駆動するための電源と、前記モーターによって回転を行う伝動構造と、前記伝動構造によって往復式連続叩き動作を行う叩き構造と、を含み、
前記伝動構造には、偏心軸が設置され、前記叩き構造には、往復式台座が設置され、前記往復式台座には、殻体外に延伸した叩き棒が連接され、前記偏心軸が回転すると、前記往復式台座に往復式動作を行わせ、
前記往復式台座の前・後端にはプレートが軸設され、前記プレートの一端は殻体の上に枢設され、且つこのプレートによって前記往復式台座を支えながら前後運動を行わせ、更に前記プレートによって前記往復式台座が横方向への偏向ブレを防止されることを特徴とする、往復式連続叩き装置。
【請求項２】
前記プレート及び往復式台座の連接側は、差込ピンを軸として固定し、回転軸を形成することを特徴とする、請求項１に記載の往復式連続叩き装置。
【請求項３】
前記プレート及び殻体の連接側は、差込ピンを軸として固定し、回転軸を形成することを特徴とする、請求項１に記載の往復式連続叩き装置。
【考案の詳細な説明】
【技術分野】
【０００１】
本考案は、往復式連続叩き装置、特に偏心軸によって、往復式連続叩き装置上の叩き棒に前後運動を行わせ、人体に接触して叩き効果を生じる保健装置に係り、且つプレート及び差し込みピンの設計によって、前記往復式連続叩き装置が左右に偏向することがなく、動作の安定性を維持できるようにしたものに関する。
【背景技術】
【０００２】
文明の進歩によって、現代人の生活水準は普遍的に向上した。又医療保健の発達によって、人類の平均寿命が大幅に延長されている。そのため、個人の健康を向上させ、病痛による困惑を減らすことは、現代人の軽視できない問題である。従来の保健行為の中では、人体表面を叩いてからだの健康を増進する方法は、既に周知の事実である。唯一つ考慮すべきことは、使用する器材の種類及び便利さである。
【０００３】
台湾特許第Ｍ３２５２２３号は、モーターに遠心ブロックを装着し、回転時に生じる遠心力を利用して振動を起こす。ただこの装置は、振動方式を採用しており、叩き効果を備えていない。
【０００４】
又、台湾特許第Ｍ３２０３８８号は、遠心ブロックによって遠心力振動を生じるほか、別途突起ブロックを備えた回転盤を駆動して回転させ、前記ブロックを人体に接触させる運動を行うもので、同様に叩き効果を備えていない。
【０００５】
そして、台湾特許第８６２０９９７７号は、ギヤ伝動によって複数の伝動ロッドに平面的な環状運動を生じさせるもので、やはり叩き効果を備えていない。
【０００６】
従って、従来の電動保健器材は叩き効果の装置を備えておらず、良好な実用的保健効果が得られず、改良が待たれていた。
【０００７】
本考案者は、上述従来の保健器材の不足部分に鑑み、鋭意研究し、往復式構造で叩き棒を運動させることによる人体に対する叩き効果を追求し、長期的な研究及び実験によって、ついに本件往復式連続叩き装置の研究開発に成功した。
【先行技術文献】
【特許文献】
【０００８】
【特許文献１】台湾特許第Ｍ３２５２２３号公報
【特許文献２】台湾特許第Ｍ３２０３８８号公報
【特許文献３】台湾特許第８６２０９９７７号明細書
【考案の概要】
【考案が解決しようとする課題】
【０００９】
本考案の主な目的は、叩き方式によって人体に接触し、生活保健の効果を生じる往復式連続叩き装置を提供することにある。
【００１０】
本考案のもう一つの目的は、プレート及び差し込みピンの応用によって、叩き構造を支え、直線方向に安定して往復叩き運動を行う往復式連続叩き装置を提供することにある。
【００１１】
本考案の又もう一つの目的は、前記プレート及び差し込みピンが左右方向において強度を備え、効果的に叩き構造が横へ偏向することを防ぎ、叩き動作を安定させることの出来る往復式連続叩き装置を提供することにある。
【００１２】
本考案の又もう一つの目的は、重量が軽く、コストが低く、且つプレート及び差し込みピンによって叩き構造を支え、構造が簡単であるのみならず、更に一般機械構造でのギヤ・伝動軸・リニヤレールなどの伝動構造に生じる摩擦騒音を避け、レール不要で、摩擦のエネルギー消耗を減少できる往復式連続叩き装置を提供することにある。
【課題を解決するための手段】
【００１３】
上述考案の目的を達成できる往復式連続叩き装置は、主として、殻体と、モーターと、電源と、伝動構造及び少なくとも一つの叩き構造を含む。前記殻体は、その他の装置を収容するスペースを提供し、前記モーター及び電源は、殻体の中に装着され、電源は前記モーターを駆動させる。前記叩き構造は、前記伝動構造によって連接連動される。前記叩き構造には、偏心軸が設置され、前記叩き構造には、往復式台座を含み、前記偏心軸によって動かされる。前記往復式台座には、叩き棒が連接され、殻体外に延伸されている。前記偏心軸が回転すると、この回転運動を前記叩き棒の前後運動に転換することが出来る。前記往復式台座の前・後端にそれぞれプレートを設けることによって、殻体の上に位置決めされ、前記プレートと往復式台座或いは殻体の連接側は、差込ピンで連接して回転軸を形成することによって、前記往復式台座がプレートの上に支えられ、且つ前後運動を行い、更に前記プレートによって前記往復式台座の横方向の偏向ブレを防止し、前記偏心軸が回転するとき、前記叩き構造が安定した直線運動を行うようにする。
【考案の効果】
【００１４】
本考案は、従来の技術に比べ、更に下記のような長所がある。
１．本考案は、叩き方式で人体に接触し、従来の叩き保健方式で体の健康を守る効果を達成する。
２．本考案は、軽量・低コストであり、使い易いだけでなく、携帯にも便利で、ユーザーはいつでも取り出して使用し、必要な部位に対して叩き保健を行い、体の健康を保つことができる。
３．本考案は、プレート及び差し込みピンだけによって主要構造を構成し、一般伝動用のギヤ・伝動軸或いはリニヤレールなど複雑な機械構造がなく、全体の構造を簡素化するほか、複雑な構造による摩擦・騒音などの問題を避けることも出来る。
４．本考案の動作は安定しおり、プレートの剛性によって、叩き構造の横方向変位ブレを効果的に防止し、叩き構造の前後運動を確保し、適宜の叩き保健機能を提供することが出来る。  
【図面の簡単な説明】
【００１５】
【図１Ａ】本考案に係る往復式連続叩き装置の斜視図である。
【図１Ｂ】前記往復式連続叩き装置の伝動構造の部分断面図である。
【図２】前記往復式連続叩き装置の正面図である。
【図３】前記往復式連続叩き装置の側面図である。
【図４】前記往復式連続叩き装置のプレート構造の拡大正面図である。
【図５Ａ】前記往復式連続叩き装置の連続動作平面図（一）である。
【図５Ｂ】前記往復式連続叩き装置の連続動作平面図（二）である。
【図５Ｃ】前記往復式連続叩き装置の連続動作平面図（三）である。
【図５Ｄ】前記往復式連続叩き装置の連続動作平面図（四）である。
【図６Ａ】前記往復式連続叩き装置の連続動作側面図（一）である。
【図６Ｂ】前記往復式連続叩き装置の連続動作側面図（二）である。
【図６Ｃ】前記往復式連続叩き装置の連続動作側面図（三）である。
【図６Ｄ】前記往復式連続叩き装置の連続動作側面図（四）である。
【考案を実施するための形態】
【００１６】
図１から図４は、本考案に係る叩き装置であり、主として、殻体１と、モーター２と、電源３と、伝動構造４と、及び叩き構造５と、を含む。
【００１７】
前記殻体１は、その他の構造に収容スペースを提供し、前記モーター２及び電源３は殻体１の中に装着されている。電源３によってモーター２を回転させる動力を提供するが、これは一般的な構造であり、ここでは贅述しない。前記叩き構造５は、少なくとも一組設置され、且つ前記伝動構造４によって連接連動される。前記伝動構造４には、偏心軸４１（図１Ｂを参照）が設置され、前記偏心軸４１はモーター２が回転するとき、モーター２の周りで軸運動を出力し、この運動軌跡が前記叩き構造５を動かして運動させる。前記叩き構造５は、前記偏心軸４１によって動かされる往復式台座５１を含み、前記往復式台座５１の上には殻体１の外部に延伸された叩き棒５２が連接され、前記偏心軸４１が伝動すると、この回転運動を前記叩き棒５２の前後運動に転換することが出来る。
【００１８】
一歩進めて言えば、前記往復式台座５１のそばに連接棒５３が延伸され、前記連接棒５３の中に位置決め溝５４が設置され、前記位置決め溝５４は、往復式台座５１の前後移動に対応して左右細長い形を呈し、且つ前記伝動構造４の偏心軸４１が前記位置決め溝５４を穿通するようにしてある。このようにして、前記偏心軸４１が回転すると、前記位置決め溝５４に制限され、位置決め溝の範囲内だけで移動すると共に、前記往復台座５１を前後に移動させる。
【００１９】
本考案の特徴は、前記往復式台座５１の前後両端に、それぞれプレート６が軸設され、前記プレート６の別の一端は殻体１の上に軸設され、前記往復式台座５１を支えている点である。前記プレート６には、良好な剛性が備わっているため、前記往復式台座５１を安定して負荷でき、且つ前記プレート６及び殻体１、往復式台座５１は、いずれも軸設方式で連接されているので、前後運動を行うことが出来る。前記プレート６及び殻体１、往復式台座５１の軸設方法は、連接側に差込ピン６１・６２を固定して回転軸を形成している。勿論、その他の等価回転軸方式で設計してもよく、ここでは贅述しない。
【００２０】
図４を参照して、本考案において前述プレート６を設置する意義は、前記往復式台座５１が前或いは後へ移動するとき、振動などの原因で左右が偏向してずれ、叩き機能が不安定になる可能性があるため、剛性プレート６の構造によって前記往復式台座５１の横向きのブレを防止し、安定した直線運動を保つことにある。
【００２１】
本考案の連続的動作は、図５Ａから図６Ｄまでに示す通りで、前記叩き構造５は少なくとも一組設置される。しかし実際に応用するときは、二組設置されて良く、それぞれ前記伝動構造４の両側に位置し、前記伝動構造４の偏心軸４１は、折り曲げられてそれぞれ二組の叩き構造５を制御する。前記動力の出力は、皆同一モーターによって駆動されるので、二組の伝動構造４の偏心軸４１に相対的な変位角度が生じ、二組の叩き構造５の移動順序に偏差が生じ、更に二本の叩き棒５２が交互に叩きあう効果を生じさせる。以下類推して、前記叩き構造５を、二組以上を設置し、各叩き構造５が同時に或いは交互に叩きあう効果を生じさせても良い。
【符号の説明】
【００２２】
１        殻体
２        モーター
３        電源
４        伝導構造
４１      偏心軸
５        叩き構造
５１      往復式台座
５２      叩き棒
５３      連接棒
５４      位置決め溝
６        プレート
６１      差し込みピン
６２      差し込みピン
【図１Ａ】
0003154309.tif 000003
【図１Ｂ】
0003154309.tif 000004
【図２】
0003154309.tif 000005
【図３】
0003154309.tif 000006
【図４】
0003154309.tif 000007
【図５Ａ】
0003154309.tif 000008
【図５Ｂ】
0003154309.tif 000009
【図５Ｃ】
0003154309.tif 000010
【図５Ｄ】
0003154309.tif 000011
【図６Ａ】
0003154309.tif 000012
【図６Ｂ】
0003154309.tif 000013
【図６Ｃ】
0003154309.tif 000014
【図６Ｄ】
0003154309.tif 000015